(57)【特許請求の範囲】
【請求項１】
ＬＴＥシステムにおける基地局Ｘ２インターフェーストランスポートアドレスを取得する方法において、
この方法が基地局に基づいて実現して、基地局は、上記基地局または他の基地局によって構築され、Ｓ１インターフェースを介して移動管理実体（ＭＭＥ）によって転送される単独なメッセージを利用して、Ｘ２インターフェース接続を構築することに必要な基地局トランスポートアドレスを取得して、基地局の間でＸ２インターフェース接続を構築することを特徴とする基地局Ｘ２インターフェーストランスポートアドレスを取得する方法。
【請求項２】
（ａ１）元基地局がトランスポートアドレス直接転送メッセージを構築して、この中に、上記元基地局のＸ２インターフェース構築をサポートする一つまたは複数のトランスポートアドレスを含めることと、
（ｂ１）上記元基地局がＳ１インターフェースを介して上記トランスポートアドレス直接転送メッセージを目標基地局へ送信して、上記目標基地局より上記元基地局とのＸ２インターフェース構築プロセスを始動することと
を含めることを特徴とする請求項１に記載の方法。
【請求項３】
ステップ（ｂ１）において、上記元基地局が上記ＭＭＥによりトランスポートアドレス直接転送メッセージを再伝送して、上記元基地局が上記ＭＭＥへ送信するトランスポートアドレス直接転送メッセージにさらに目標基地局情報を含めて、上記ＭＭＥが上記目標基地局へ送信するトランスポートアドレス直接転送メッセージにさらに元基地局情報を含めることを特徴とする請求項２に記載の方法。
【請求項４】
（ａ２）元基地局がＳ１インターフェースを介してトランスポートアドレスリクエストメッセージを上記ＭＭＥへ送信して、上記移動管理実体ＭＭＥがこのリクエストメッセージを目標基地局へ透過的に伝送して、このリクエストメッセージに目標基地局情報が含まれることと
（ｂ２）上記目標基地局がＳ１インターフェースを介してトランスポートアドレスリクエスト応答メッセージを上記移動管理実体ＭＭＥへ送信して、上記移動管理実体ＭＭＥがこの応答メッセージを上記元基地局へ透過的に伝送して、上記元基地局よりＸ２インターフェース接続構築プロセスを始動して、上記目標基地局は応答に成功した場合、上記トランスポートアドレスリクエスト応答メッセージは、目標基地局のＸ２インターフェース構築をサポートする一つまたは複数のトランスポートアドレスを含むことと
を含めることを特徴とする請求項１に記載の方法。
【請求項５】
ステップ（ｂ２）において、上記目標基地局がトランスポートアドレスリクエストメッセージの解析エラーまたはトランスポートアドレスの取得エラーが発生した場合、応答失敗と判断されて、上記トランスポートアドレスリクエスト応答メッセージは、失敗の原因を含むことを特徴とする請求項４に記載の方法。
【請求項６】
ステップ（ｂ２）において、応答に失敗した場合、上記トランスポートアドレスリクエスト応答メッセージは待ち時間を含み、このトランスポートアドレスリクエスト応答メッセージを受信する元基地局が上記待ち時間を超えた後で改めてステップ（ａ２）を実行することを特徴とする請求項５に記載の方法。
【請求項７】
上記基地局情報というのは、元基地局または目標基地局のグローバル識別子であることを特徴とする請求項３または請求項４に記載の方法。
【請求項８】
上記一つまたは複数のトランスポートアドレスがバックグラウンドで配置されるあるいは、ネットワーク側のデータベースから取得されることを特徴とする請求項２または請求項４に記載の方法。
【請求項９】
ＬＴＥシステムにおける基地局Ｘ２インターフェーストランスポートアドレスを取得する装置において、
この装置は基地局に基づいて実現され、基地局によって構築され、Ｓ１インターフェースを介して移動管理実体（ＭＭＥ）によって転送される単独なメッセージを利用してＸ２インターフェース接続を構築することに必要な基地局トランスポートアドレスを取得して、基地局の間でＸ２インターフェース接続を構築することを特徴とする基地局Ｘ２インターフェーストランスポートアドレスを取得する装置。
【請求項１０】
この装置は順次に接続する直接転送メッセージ受信モジュール、直接転送メッセージ構造モジュール及び直接転送メッセージ送信モジュールを含める、この中に、
上記直接転送メッセージ構造モジュールは、基地局トランスポートアドレス直接転送メッセージを構築することに使用され、この中に、当該基地局のＸ２インターフェース構築をサポートする一つまたは複数のトランスポートアドレスを含めることと、
上記直接転送メッセージ送信モジュールは、Ｓ１インターフェースを介して上記直接転送メッセージ構造モジュールより構築された基地局トランスポートアドレス直接転送メッセージを対応基地局へ送信することと、
上記直接転送メッセージ受信モジュールは、Ｘ２インターフェース構築プロセスを始動するように、対応基地局に送信された基地局トランスポートアドレス直接転送メッセージを受信し解析することと
を含めることを特徴とする請求項９に記載の装置。
【請求項１１】
この装置は順次に接続するメッセージ受信モジュール、メッセージ構造モジュール及びメッセージ送信モジュールを含める、この中に、
上記メッセージ構造モジュールは、トランスポートアドレスリクエストメッセージを構築することに使用され、さらにメッセージ受信モジュールに受信されたトランスポートアドレスリクエストメッセージに従ってトランスポートアドレス応答メッセージを構築して、応答に成功した場合、トランスポートアドレス応答メッセージに当該基地局の、Ｘ２インターフェース構築をサポートする一つまたは複数のトランスポートアドレスを含めることと、
上記メッセージ送信モジュールは、Ｓ１インターフェースを介して上記トランスポートアドレスリクエストメッセージと上記トランスポートアドレス応答メッセージを対応基地局へ送信することに使用されることと、
上記メッセージ受信モジュールは、Ｓ１インターフェースを介して対応基地局より送信された上記トランスポートアドレスリクエストメッセージと上記トランスポートアドレス応答メッセージを受信することに使用され、トランスポートアドレス応答メッセージによりＸ２インターフェース接続を構築することと
を含めることを特徴とする請求項９に記載の装置。
【請求項１２】
上記メッセージ受信モジュールはさらに受信された上記トランスポートアドレスリクエストメッセージとトランスポートアドレス応答メッセージを解析することに使用されて、リクエストメッセージの解析エラーまたはトランスポートアドレスの取得エラーが発生したら、上記メッセージ構造モジュールより構築されるトランスポートアドレスリクエスト応答メッセージは失敗の原因を含むことを特徴とする請求項１１に記載の装置。
【請求項１３】
上記一つまたは複数のトランスポートアドレスは、バックグラウンドで配置されるあるいは、ネットワーク側のデータベースから取得されることを特徴とする請求項１０または請求項１１に記載の装置。
【発明の詳細な説明】
【技術分野】
【０００１】
本発明はセルラー無線通信システムに関して、特に、長期進化型（ＬＴＥ）移動通信システムにおけるＸ２インターフェース構築のためのトランスポートアドレスを取得する方法及び装置に関する。
【背景技術】
【０００２】
３６３００-８００において、ＬＴＥ（Ｌｏｎｇ Ｔｅｒｍ Ｅｖｏｌｕｔｉｏｎ）ネットワークがＥ-ＵＴＲＡＮ(Ｅｖｏｌｖｅｄ ＵＴＲＡＮ)基地局ｅＮＢ（Ｅｖｏｌｖｅｄ ＮｏｄｅＢ）と進化型パケットコアＥＰＣ（Ｅｖｏｌｖｅｄ Ｐａｃｋｅｔ Ｃｏｒｅ）より構成され、ネットワークが平坦化された。ここに、ＥＵＴＲＡＮがＥＰＣとＳ１インターフェースを介して接続するｅＮＢの集合を含めて、ｅＮＢ間はＸ２を介して接続できる。Ｓ１、Ｘ２がロジックインターフェースである。一つのＥＰＣが一つまたは複数のｅＮＢを管理してもいい、一つのｅＮＢも複数のＥＰＣに制御されてもいい、一つのｅＮＢが一つまたは複数のセルを管理できる。
【０００３】
モバイルアドホックネットワーク（ＳＯＮ）が自動的にネットワーク配置と最適化を行う技術である。この技術の特徴は、自ら配置し最適化することであって、ＬＴＥにこの技術を応用して、ＬＴＥ基地局（ｅＮＢ）が一定の計測によりネットワークパラメーターを自動配置して、ネットワークの変化により自動的に最適化できて、ネットワーク性能を最適に保持するとともに、大きな手数を節約できる。
【０００４】
ＬＴＥシステムにおいて、基地局の間のＸ２インターフェースが現在の策略によりこのインターフェースを構築するかどうかを決めて、二つの基地局の間でＸ２インターフェースを構築する必要があると、いずれか一つの基地局がＸ２構築リクエストを作成する際に、対等基地局のトランスポートアドレス（ＴＬＡ）を解明する必要がある。だから、基地局がネットワークに電源を投入し稼働した後で、この周囲にＸ２インターフェース構築を許可する基地局のトランスポートアドレスを解明する必要がある。どのように関連基地局のトランスポートアドレスを取得することは現在に解決する必要がある問題である。
【発明の概要】
【発明が解決しようとする課題】
【０００５】
本発明が解決しようとする課題は、ＬＴＥシステムにおける基地局Ｘ２インターフェーストランスポートアドレスを取得する方法及び装置を提供して、Ｘ２インターフェースを構築する。
【課題を解決するための手段】
【０００６】
上記問題を解決するために、本発明がＬＴＥシステムにおける基地局Ｘ２インターフェースのトランスポートアドレスを取得する方法を提供して、この方法が基地局に基づいて実現して、基地局が構築された単独なメッセージを利用して、Ｓ１インターフェースよりＸ２インターフェース接続を構築することに必要な基地局トランスポートアドレスを取得して、基地局の間でＸ２インターフェース接続を構築する。
【０００７】
さらに、この方法は、
（ａ１）元基地局がトランスポートアドレス直接転送メッセージを構築して、この中に上記元基地局のＸ２インターフェース構築をサポートする一つまたは複数のトランスポートアドレスを含めることと、
（ｂ１）上記元基地局がＳ１インターフェースを介して上記トランスポートアドレス直接転送メッセージを目標基地局へ送信して、上記目標基地局より上記元基地局とのＸ２インターフェース構築プロセスを始動することと
を含める。
【０００８】
さらに、ステップ（ｂ１）において上記元基地局が移動管理実体ＭＭＥによりトランスポートアドレス直接転送メッセージを再伝送して、上記元基地局が上記ＭＭＥへ送信するトランスポートアドレス直接転送メッセージにさらに目標基地局情報を含めて、上記ＭＭＥが上記目標基地局へ送信するトランスポートアドレス直接転送メッセージにさらに元基地局情報を含める。
【０００９】
さらに、この方法は、
（ａ２）元基地局がＳ１インターフェースを介してトランスポートアドレスリクエストメッセージを移動管理実体ＭＭＥへ送信して、上記移動管理実体ＭＭＥがこのリクエストメッセージを目標基地局へ透過的に転送して、このリクエストメッセージに目標基地局情報を含めることと、
（ｂ２）上記目標基地局がＳ１インターフェースを介してトランスポートアドレスリクエスト応答メッセージを上記移動管理実体ＭＭＥへ送信して、上記移動管理実体ＭＭＥがこの応答メッセージを上記元基地局へ透過的に伝送して、上記元基地局よりＸ２インターフェース接続構築プロセスを始動して、上記目標基地局の応答に成功した時、上記トランスポートアドレスリクエスト応答メッセージは、目標基地局のＸ２インターフェース構築をサポートする一つまたは複数のトランスポートアドレスを含むことと
を含める。
【００１０】
さらに、ステップ（ｂ２）において、上記目標基地局がトランスポートアドレスリクエストメッセージの解析エラーまたはトランスポートアドレスの取得エラーが発生した時に、応答失敗と判断して、上記トランスポートアドレスリクエスト応答メッセージは、失敗の原因を含む。
【００１１】
さらに、ステップ（ｂ２）において、応答に失敗した時に、上記トランスポートアドレスリクエスト応答メッセージは待ち時間を含んでもよく、このトランスポートアドレスリクエスト応答メッセージを受信する元基地局が上記待ち時間を超えたら改めてステップ（ａ２）を実行する。
【００１２】
さらに、上記基地局情報というのは元基地局または目標基地局のグローバル識別子である。
【００１３】
さらに、上記一つまたは複数のトランスポートアドレスがバックグラウンドで配置される、あるいはネットワーク側のデータベースから取得される。
【００１４】
上記課題を解決するために、本発明は、さらにＬＴＥシステムにおける基地局Ｘ２インターフェーストランスポートアドレスを取得する装置を提供して、この装置が基地局に基づいて実現して、構築された単独なメッセージを利用してＳ１インターフェースを介してＸ２インターフェース接続を構築することに必要な基地局トランスポートアドレスを取得して、基地局の間でＸ２インターフェース接続を構築する。
【００１５】
さらに、この装置は、順次に接続する直接転送メッセージ受信モジュール、直接転送メッセージ構造モジュール及び直接転送メッセージ送信モジュールを含める。
【００１６】
ここで、上記直接転送メッセージ構造モジュールは、基地局トランスポートアドレス直接転送メッセージを構築することに使用され、この中に、当該基地局のＸ２インターフェース構築をサポートする一つまたは複数のトランスポートアドレスを含める。
【００１７】
上記直接転送メッセージ送信モジュールは、Ｓ１インターフェースを介して上記直接転送メッセージ構造モジュールに構築された基地局トランスポートアドレス直接転送メッセージを対応基地局へ送信する。
【００１８】
上記直接転送メッセージ受信モジュールは、Ｘ２インターフェース構築プロセスを始動するように、対応基地局より送信した基地局トランスポートアドレス直接転送メッセージを受信し解析する。
【００１９】
さらに、この装置は順次に接続するメッセージ受信モジュール、メッセージ構造モジュール及びメッセージ送信モジュールを含める。
【００２０】
ここで、上記メッセージ構造モジュールは、トランスポートアドレスリクエストメッセージを構築することに使用され、さらにメッセージ受信モジュールより受信されたトランスポートアドレスリクエストメッセージに従ってトランスポートアドレス応答メッセージを構築する。応答に成功した時には、トランスポートアドレス応答メッセージに当該基地局のＸ２インターフェース構築をサポートする一つまたは複数のトランスポートアドレスを含める。
【００２１】
上記メッセージ送信モジュールは、Ｓ１インターフェースを介して上記トランスポートアドレスリクエストメッセージと上記トランスポートアドレス応答メッセージを対応基地局へ送信する。
【００２２】
上記メッセージ受信モジュールは、Ｓ１インターフェースを介して対応基地局に送信された上記トランスポートアドレスリクエストメッセージと上記トランスポートアドレス応答メッセージを受信して、トランスポートアドレス応答メッセージよりＸ２インターフェース接続を構築する。
【００２３】
さらに、上記メッセージ受信モジュールは、受信された上記トランスポートアドレスリクエストメッセージとトランスポートアドレス応答メッセージを解析することに使用され、リクエストメッセージの解析エラーまたはトランスポートアドレスの取得エラーが発生すると、上記メッセージ構造モジュールに構築されたトランスポートアドレスリクエスト応答メッセージは失敗の原因を含む。
【００２４】
さらに、上記一つまたは複数のトランスポートアドレスはバックグラウンドで配置される、或いはネットワーク側のデータベースから取得される。
【発明の効果】
【００２５】
本発明による方法及び装置は、タイムリーに当該基地局とＸ２インターフェースを構築する目標基地局のトランスポートアドレス情報を取得できて、基地局をＸ２インターフェースを構築できるようにさせて、基地局の間の情報交換を実現することに寄与して、隣接セル関係の自動最適化におけるＸ２インターフェース属性管理の整合性を反映する。
【図面の簡単な説明】
【００２６】
【図１】ＬＴＥシステムにおいて基地局がＸ２インターフェーストランスポートアドレスを取得する方法の実施形態一のプロセス模式図である。
【図２】基地局から送信されたトランスポートアドレス直接転送メッセージの構造図である。
【図３】ＭＭＥから送信されたトランスポートアドレス直接転送メッセージの構造図である。
【図４】ＬＴＥシステムにおいて基地局がＸ２インターフェーストランスポートアドレスを取得する方法の実施形態二のプロセス模式図である。
【図５】トランスポートアドレスリクエストメッセージの構造図である。
【図６】トランスポートアドレス応答メッセージの構造図である。
【図７】トランスポートアドレス応答失敗のメッセージの構造図である。
【発明を実施するための形態】
【００２７】
本発明は、ＬＴＥシステムにおける基地局がＸ２インターフェーストランスポートアドレスを取得する方法であって、基地局に基づいて実現して、基地局がＳ１インターフェースを介してＸ２インターフェース接続を構築することに必要な基地局トランスポートアドレスを取得して、基地局の間でＸ２インターフェース接続を構築する。
【００２８】
ＬＴＥシステムにおいて、基地局が構築された単独なメッセージを利用して基地局トランスポートアドレスを取得する方式は二種類がある。
【００２９】
第一は、元基地局がトランスポートアドレス直接転送メッセージを構築して、これは、元基地局が目標基地局とＸ２接続を構築するための基地局トランスポートアドレスを含み、目標基地局より元基地局とのＸ２インターフェース構築プロセスを始動する。
【００３０】
第二は、目標基地局が元基地局のリクエストに従って応答メッセージを構築して、これは、目標基地局が元基地局とＸ２接続を構築するための基地局トランスポートアドレスを含み、元基地局より目標基地局とのＸ２インターフェース構築プロセスを始動する。
【００３１】
以下、図面を結びつけて上記の二方式について詳細に説明する。
【００３２】
実施形態１
図１に、本発明はＬＴＥシステムにおける基地局がＸ２インターフェーストランスポートアドレスを取得する方法が、以下のステップを含める。
【００３３】
ステップ１０１：基地局ｅＮＢ１が基地局ｅＮＢ２とＸ２インターフェースを構築する必要がある時に、又は、電源を投入し稼働した後のその他の時間に、基地局１が基地局トランスポートアドレス直接転送メッセージを構築して、このメッセージをＭＭＥへ送信する。
【００３４】
この基地局トランスポートアドレス直接転送メッセージの構造は、図２に示すように、メッセージタイプ、目標基地局情報、元基地局情報、元基地局のトランスポートアドレス情報を含める、この中に、元基地局情報は省略してもいい。
【００３５】
ステップ１０２：ＭＭＥが基地局トランスポートアドレス直接転送メッセージをＭＭＥトランスポートアドレス直接転送メッセージにより基地局２へ転送する。
【００３６】
このＭＭＥトランスポートアドレス直接転送メッセージの構造は、図３に示すように、メッセージタイプ、目標基地局情報、元基地局情報、元基地局のトランスポートアドレス情報を含める。
【００３７】
この実施例において、基地局１が元基地局であって、基地局２が目標基地局であって、基地局情報は基地局のグローバル識別子であって、トランスポートアドレス情報は、バックグラウンドで配置される、あるいは、ネットワーク側のデータベースから取得されて、Ｘ２インターフェース構築をサポートするトランスポートアドレスリストであって、一つまたは複数のトランスポートアドレスでよい。
【００３８】
プロバイダが必要に応じて一つの基地局に複数のＸ２インターフェースを構築するためのトランスポートアドレスを配置する、あるいは、複数のマルチモードの基地局も複数配置されてもいいが、最終に1つのＸ２インターフェースの構築はこの中の一つを使用する。
【００３９】
ステップ１０３：基地局２がＭＭＥのトランスポートアドレス直接転送メッセージを受信した後で、メッセージに付いている基地局１のトランスポートアドレス情報に従って、元基地局とのＸ２インターフェース構築プロセスを始動する。
【００４０】
上記方法を実現するために、本発明は、さらに、ＬＴＥシステムにおける基地局Ｘ２インターフェーストランスポートアドレスを取得する装置を提供して、この装置が基地局に基づいて実現して、目標基地局と元基地局に対して同じであって、順次に接続する直接転送メッセージ受信モジュール、直接転送メッセージ構造モジュール及び直接転送メッセージ送信モジュールを含める。
【００４１】
ここで、直接転送メッセージ構造モジュールは、基地局トランスポートアドレス直接転送メッセージを構築することに使用され、このメッセージは当該基地局のＸ２インターフェース構築をサポートする一つまたは複数のトランスポートアドレスを含める。具体的な構造は上記の通りである。
【００４２】
直接転送メッセージ送信モジュールは、Ｓ１インターフェースを介して直接転送メッセージ構造モジュールに構築された基地局トランスポートアドレス直接転送メッセージを対応基地局へ送信する。
【００４３】
直接転送メッセージ受信モジュールは、Ｘ２インターフェース構築プロセスを始動するように、対応基地局から送信された基地局トランスポートアドレス直接転送メッセージを受信し解析する。
【００４４】
上記一つまたは複数のトランスポートアドレスがバックグラウンドで配置される或いは、ネットワーク側のデータベースから取得される。
【００４５】
実施形態２
図４に、本発明はＬＴＥシステムにおける基地局Ｘ２インターフェーストランスポートアドレスを取得する方法であって、以下のステップを含める。
【００４６】
ステップ４０１：基地局ｅＮＢ１が基地局ｅＮＢ２とＸ２インターフェースを構築する時、或いは、電源を投入し稼働した後のその他の時間に、基地局１がトランスポートアドレスリクエストメッセージを構築して、このメッセージをＳ１インターフェースを介してＭＭＥ（Ｍｏｂｉｌｉｔｙ Ｍａｎａｇｅｍｅｎｔ Ｅｎｔｉｔｙ、移動管理実体）へ送信する。
【００４７】
ステップ４０２：ＭＭＥがトランスポートアドレスリクエストメッセージを受信した後で、このメッセージをＳ１インターフェースを介して基地局２に透過的に転送する。
【００４８】
トランスポートアドレスリクエストメッセージの構造は、図５に示すように、メッセージタイプ、目標基地局情報、元基地局情報を含める、この中に、基地局１がＭＭＥへ送信するメッセージにおいて、元基地局情報は省略してもいい、ＭＭＥが基地局２へ送信するメッセージにおいて、目標基地局情報も元基地局情報も省略してもいい。
【００４９】
ステップ４０３：基地局２がトランスポートアドレスリクエストメッセージを受信した後で、トランスポートアドレス応答メッセージを構築して、ＭＭＥへ送信する。
【００５０】
応答に成功した場合、トランスポートアドレス応答成功のメッセージを構築する、このメッセージの構造は、図６に示すように、メッセージタイプ、目標基地局情報、元基地局情報、目標基地局のトランスポートアドレス情報を含める。
【００５１】
応答に失敗した場合、リクエストメッセージの解析エラーまたはトランスポートアドレスの取得エラーが発生したら、トランスポートアドレス応答失敗のメッセージを構築する、このメッセージの構造は、図７に示すように、メッセージタイプ、目標基地局情報、元基地局情報、失敗の原因（たとえば、リクエストメッセージセルの解析エラーまたはトランスポートアドレスの取得エラー）、および待ち時間を含める。この中に、待ち時間のセルは、元基地局がこの待ち時間を超えた後で改めて取得プロセスを始動できる。
【００５２】
この実施例において、基地局１は元基地局、基地局２は目標基地局、基地局情報は基地局のグローバル識別子、トランスポートアドレス情報はＸ２インターフェース構築をサポートするトランスポートアドレスリストであって、一つまたは複数のトランスポートアドレスでよい。
【００５３】
ステップ４０４：ＭＭＥがトランスポートアドレス応答メッセージを基地局１へ透過的に転送する。
【００５４】
ステップ４０５：基地局１がトランスポートアドレス応答メッセージを受信した後で、応答に成功すると、この中に付いている基地局２トランスポートアドレス情報により、基地局２とのＸ２インターフェース構築プロセスを始動する。
【００５５】
上記方法を実現するために、本発明は、さらにＬＴＥシステムにおける基地局がＸ２インターフェーストランスポートアドレスを取得する装置を提供して、この装置が基地局に基づいて実現して、順次に接続するメッセージ受信モジュール、メッセージ構造モジュール及びメッセージ送信モジュールを含める。
【００５６】
ここで、メッセージ構造モジュールは、トランスポートアドレスリクエストメッセージを構築することに使用され、このリクエストメッセージ構造は上記どおりである、さらに、メッセージ受信モジュールより受信されたトランスポートアドレスリクエストメッセージに従って、トランスポートアドレス応答メッセージを構築することに使用される。
【００５７】
具体的に、トランスポートアドレス応答メッセージを構築する時に、処理に成功した場合、構築された応答メッセージはトランスポートアドレス応答成功のメッセージであって、メッセージに当該基地局のＸ２インターフェース構築をサポートする一つまたは複数のトランスポートアドレスを含めて、このメッセージの具体的な構造は上記どおりである。
【００５８】
上記一つまたは複数のトランスポートアドレスはバックグラウンドで配置されるあるいは、ネットワーク側のデータベースから取得される。
【００５９】
処理に失敗した場合、例えば、リクエストメッセージセルの解析エラーまたはトランスポートアドレスの取得エラーが発生したら、構築された応答メッセージはトランスポートアドレス応答失敗のメッセージであって、このメッセージの構造は上記どおりである。
【００６０】
メッセージ送信モジュールは、Ｓ１インターフェースを介してトランスポートアドレスリクエストメッセージとトランスポートアドレス応答メッセージを対応基地局へ送信することに使用される。
【００６１】
メッセージ受信モジュールは、Ｓ１インターフェースを介して対応基地局に送信されたトランスポートアドレスリクエストメッセージとトランスポートアドレス応答メッセージを受信することに使用され、さらにトランスポートアドレス応答メッセージによりＸ２インターフェース接続を構築するように、受信されたリクエストメッセージと応答メッセージを解析することに使用される。
【００６２】
一般的に言えば、本発明による方法と同様に、本発明はＬＴＥシステムにおける基地局Ｘ２インターフェーストランスポートアドレスを取得する装置であって、基地局に基づいて実現して、この装置がＳ１インターフェースを介してＸ２インターフェース接続を構築することに必要な基地局トランスポートアドレスを取得して、基地局の間でＸ２インターフェース接続を構築する。
【産業上の利用可能性】
【００６３】
本発明による方法及び装置は、タイムリーに当該基地局とＸ２インターフェースを構築する目標基地局のトランスポートアドレス情報を取得できて、基地局がＸ２インターフェースを構築できるようにさせて、基地局の間の情報交換を実現することに寄与して、隣接セル関係の自動最適化におけるＸ２インターフェース属性管理の整合性を反映する。
【図１】
0005349608.tif 000002
【図２】
0005349608.tif 000003
【図３】
0005349608.tif 000004
【図４】
0005349608.tif 000005
【図５】
0005349608.tif 000006
【図６】
0005349608.tif 000007
【図７】
0005349608.tif 000008